(57)【要約】【課題】待機モードで電力消費を節減でき、交流電源のゼロ−クロッシングを精密に検知可能な，位相検知装置を提供する。【解決手段】交流電源（ＡＣ）が印加される電源入力部１３２と、交流電源のゼロ−クロッシング時点を検出し、交流電源のゼロ−クロッシング時点が検出される場合に位相検出信号（Ｖｐｈａｓｅ）を出力する位相検出部１３４と、モード制御信号（ＣＳ＿ＭＤ）に応答して、電源入力部に対する交流電源の印加を選択的に遮断する電源スイッチ部１３６と、を含む。かかる構成によれば、待機モードで電力消費を節減でき、交流電源のゼロ−クロッシングを精密に検知することができる。【選択図】図３
2008033904.tif 000002
【特許請求の範囲】
【請求項１】
交流電源が印加される電源入力部と、
前記交流電源のゼロ−クロッシング時点を検出し、前記交流電源のゼロ−クロッシング時点が検出される場合に位相検出信号を出力する位相検出部と、
モード制御信号に応答して、前記電源入力部に対する交流電源の印加を選択的に遮断する電源スイッチ部と、
を含むことを特徴とする、位相検知装置。
【請求項２】
前記電源入力部は、整流された交流電源を出力する電波整流部を含むことを特徴とする、請求項１に記載の位相検知装置。
【請求項３】
前記位相検出部は、前記電波整流部から出力される前記整流された交流電源に基づいて前記交流電源のゼロ−クロッシング時点を検出することを特徴とする、請求項２に記載の位相検知装置。
【請求項４】
前記モード制御信号は、
前記電源入力部に対する前記交流電源の印加を遮断して前記電源入力部の電力消費を減少させ、前記位相検出部から前記位相検出信号が出力されない待機モードとして動作するように前記電源スイッチ部を制御する待機モード制御信号と、
前記電源入力部に前記交流電源が印加され、前記交流電源のゼロ−クロッシング時点が検出される場合には，前記位相検出部から前記位相検出信号が出力される正常モードとして動作するように前記電源スイッチ部を制御する正常モード制御信号と、
を含むことを特徴とする、請求項１に記載の位相検知装置。
【請求項５】
前記電源スイッチ部は、第１フォトカプラーを含むことを特徴とする、請求項４に記載の位相検知装置。
【請求項６】
前記電源スイッチ部は、
前記モード制御信号が印加される第１端子と、前記第１フォトカプラーに接続され、かつ所定の直流電源が印加される第２端子と、接地電源が印加される第３端子と、を有する第１の３端子素子を含み、
前記第１の３端子素子は、
前記待機モード制御信号に応答して、前記第２端子の前記接地電源を前記第１フォトカプラーに供給し、
前記正常モード制御信号に応答して、前記第２端子の前記所定の直流電源を前記第１フォトカプラーに供給することを特徴とする、請求項５に記載の位相検知装置。
【請求項７】
前記第１フォトカプラーには，前記待機モードで供給が遮断される前記所定の直流電源が印加されることを特徴とする、請求項５に記載の位相検知装置。
【請求項８】
前記電源入力部は、
前記交流電源を分配し、分配された交流電源を出力する抵抗回路部と、
前記分配された交流電源を整流し、整流された交流電源を出力するブリッジ整流器と、を含み、
前記位相検出部は、前記ブリッジ整流器から出力される前記整流された交流電源から前記交流電源のゼロ−クロッシング時点を検出することを特徴とする、請求項６に記載の位相検知装置。
【請求項９】
前記位相検出部は、前記電源入力部の前記ブリッジ整流器および前記電源スイッチ部の前記第１フォトカプラーに接続された第２フォトカプラーを含むことを特徴とする、請求項８に記載の位相検知装置。
【請求項１０】
前記位相検出部は、
前記第２フォトカプラーに接続され、かつ前記所定の直流電源が印加される第１端子と、前記所定の直流電源が印加される第２端子と、前記接地電源が印加される第３端子と、を有する第２の３端子素子を含み、
前記第２の３端子素子は、
前記正常モード制御信号に応答して、前記交流電源のゼロ−クロッシング時点が検出され、前記電源スイッチ部が正常モードで動作する場合には、前記位相検出信号として前記第２端子から前記接地電源を出力し、
前記正常モード制御信号に応答して、前記交流電源のゼロ−クロッシング時点が検出されず，前記電源スイッチ部が正常モードで動作する場合には，前記第２端子から前記所定の直流電源を出力し、
前記待機モード制御信号に応答して、前記電源スイッチ部が待機モードで動作する場合には，前記第２端子から前記接地電源を出力することを特徴とする、請求項９に記載の位相検知装置。
【請求項１１】
交流電源が印加される電源入力部と、
前記交流電源のゼロ−クロッシング時点を検出し、前記交流電源のゼロ−クロッシング時点が検出される場合に位相検出信号を出力する位相検出部と、
正常モードで動作するか、または待機モードで動作するかに応じて，前記電源入力部に対する前記交流電源の印加を選択的に遮断する電源スイッチ部と、
を含むことを特徴とする、位相検知装置。
【請求項１２】
前記待機モードは、前記電源入力部に対する前記交流電源の印加を遮断して前記電源入力部の電力消費を減少させ、前記位相検出部から前記位相検出信号が出力されないモードであり、
前記正常モードは、前記電源入力部に前記交流電源が印加され、前記交流電源のゼロ−クロッシング時点が検出される場合には，前記位相検出部から前記位相検出信号が出力されるモードであることを特徴とする、請求項１１に記載の位相検知装置。
【請求項１３】
前記電源スイッチ部は，第１フォトカプラーを含むことを特徴とする、請求項１２に記載の位相検知装置。
【請求項１４】
前記電源スイッチ部は、正常モードで動作する場合には，所定の第１直流電源が印加され、かつ，前記第１フォトカプラーに所定の第１直流電源が印加され、
前記電源スイッチ部は，待機モードで動作する場合には，前記所定の第１直流電源が印加されず、かつ，前記第１フォトカプラーにいずれの電源も印加されないことを特徴とする、請求項１３に記載の位相検知装置。
【請求項１５】
前記電源入力部は、
前記交流電源を分配し、分配された交流電源を出力する抵抗回路部と、
前記分配された交流電源を整流し、整流された交流電源を出力するブリッジ整流器と、を含み、
前記位相検出部は，前記ブリッジ整流器から出力される前記整流された交流電源から前記交流電源のゼロ−クロッシング時点を検出することを特徴とする、請求項１４に記載の位相検出装置。
【請求項１６】
前記位相検出部は、前記電源入力部の前記ブリッジ整流器および前記電源スイッチ部の前記第１フォトカプラーに接続された第２フォトカプラーを含むことを特徴とする、請求項１５に記載の位相検知装置。
【請求項１７】
前記位相検出部は、
前記第２フォトカプラーに接続され、かつ所定の第２直流電源が印加される第１端子と、前記所定の第２直流電源が印加される第２端子と、接地電源が印加される第３端子と、を有する３端子素子を更に含み、
前記３端子素子は、
前記交流電源のゼロ−クロッシング時点が検出され、前記電源スイッチ部が正常モードで動作する場合には，前記位相検出信号として前記第２端子から前記接地電源を出力し、
前記交流電源の前記ゼロ−クロッシング時点が検出されず，前記電源スイッチ部が正常モードで動作する場合には，前記第２端子から前記所定の第２直流電源を出力し、
前記待機モード制御信号に応答して、前記電源スイッチ部が動作する場合には，前記第２端子から前記接地電源を出力することを特徴とする、請求項１６に記載の位相検知装置。
【請求項１８】
前記所定の第２直流電源は，前記所定の第１直流電源と異なることを特徴とする、請求項１７に記載の位相検知装置。
【請求項１９】
装置に印加される交流電源の位相を制御する位相制御装置であって、
前記位相制御装置は、
交流電源が印加され、前記交流電源のゼロ−クロッシング時点を検出し、前記交流電源のゼロ−クロッシング時点が検出される場合に位相検出信号を出力し、モード制御信号に応答して，前記交流電源の印加を選択的に遮断する位相検知装置と、
前記位相検出信号に基づいて、前記装置に印加される前記交流電源の位相を制御するための位相制御信号を生成する信号生成部と、
を含むことを特徴とする、位相制御装置。
【請求項２０】
前記位相検知装置は、
前記交流電源が印加される電源入力部と、
前記交流電源のゼロ−クロッシング時点を検出し、前記交流電源のゼロ−クロッシング時点が検出される場合に前記位相検出信号を出力する位相検出部と、
前記モード制御信号に応答して、前記電源入力部に対する前記交流電源の印加を選択的に遮断する電源スイッチ部と、
を含むことを特徴とする、請求項１９に記載の位相制御装置。
【請求項２１】
前記電源入力部は、整流された交流電源を出力する電波整流部を含むことを特徴とする、請求項２０に記載の位相制御装置。
【請求項２２】
前記位相検出部は、前記電波整流部から出力される前記整流された交流電源に基づいて前記交流電源のゼロ−クロッシング時点を検出することを特徴とする、請求項２１に記載の位相制御装置。
【請求項２３】
前記モード制御信号は、
前記電源入力部に対する前記交流電源の印加を遮断して前記電源入力部の電力消費を減少させ、前記位相検出部から前記位相検出信号が出力されない待機モードとして動作するように前記電源スイッチ部を制御する待機モード制御信号と、
前記電源入力部に前記交流電源が印加され、前記交流電源のゼロ−クロッシング時点が検出される場合には，前記位相検出部から前記位相検出信号が出力される正常モードとして動作するように前記電源スイッチ部を制御する正常モード制御信号と、
を含むことを特徴とする、請求項２０に記載の位相制御装置。
【請求項２４】
画像形成装置の定着器に印加される交流電源を制御する定着器制御装置であって、
前記定着器制御装置は、
交流電源が印加され、前記交流電源のゼロ−クロッシング時点を検出し、前記交流電源のゼロ−クロッシング時点が検出される場合に位相検出信号を出力し、モード制御信号に応答して，前記交流電源の印加を選択的に遮断する位相検知装置と、
前記位相検出信号に基づいて、前記定着器に印加される前記交流電源の位相を制御するための位相制御信号を生成する信号生成部と、
前記位相制御信号に応じて，前記定着器に印加される前記交流電源の位相を制御して前記定着器の発熱温度を制御する温度制御部と、
を含むことを特徴とする、定着器制御装置。
【請求項２５】
前記モード制御信号は、
前記位相検知装置に対する前記交流電源の印加を遮断して前記位相検知装置の電力消費を減少させ、前記位相検知装置から前記位相検出信号が出力されない待機モードとして動作するように前記位相検知装置を制御する待機モード制御信号と、
前記位相検知装置に前記交流電源が印加され、前記交流電源のゼロ−クロッシング時点が検出される場合には，前記位相検知装置から位相検出信号が出力される正常モードで動作するように前記位相検知装置を制御する正常モード制御信号と、
を含むことを特徴とする、請求項２４に記載の定着器制御装置。
【発明の詳細な説明】
【技術分野】
【０００１】
本発明は、位相検知装置と、これを備えた位相制御装置および定着器制御装置に関し、詳細には待機モードでの駆動による電力の消費を抑制するとともに、交流電源のゼロ−クロッシング時点を精密に検出できる位相検知装置、これを備えた位相制御装置，および定着器制御装置に関する。
【背景技術】
【０００２】
画像形成装置は入力される画像データに対応するイメージを印刷用紙のような記録媒体に印刷処理する装置である。かかる画像形成装置は、例えばプリンタ、複写機、ファクシミリおよびそれらの機能を１つにした複合機などである。
【０００３】
一般に画像形成装置は、正常な印刷作業ができるように，発熱装置，および発熱装置を一定の温度に保つ装置を必要とする。特に、形成されたトナー画像を熱と圧力を用いて印刷用紙上に定着させるための定着器の場合、トナー画像を用紙に定着させるためにその表面を適切な目標温度で維持すべく制御する定着器制御装置が求められる。
【０００４】
かかる定着器制御装置には入力される交流電源を制御する位相制御方式が一般的に使用されている。位相制御方式を使用するためには、入力される交流電源のゼロ−クロッシング（ｚｅｒｏ−ｃｒｏｓｓｉｎｇ）を検知して交流電源位相の極性が変化する０電位を検出する位相検知装置が求められる。
【０００５】
図８はその従来技術に係る位相検知装置を示す回路図である。
【０００６】
同図を参照すると、従来技術に係る位相検知装置１０は交流電源（ＡＣ）が印加される電源入力部１２および位相検出部１４を含む。。
【０００７】
電源入力部１２は、印加される交流電源を分配する抵抗素子（Ｒ２１，Ｒ２２、Ｒ２３，Ｒ２４）を含む。
【０００８】
位相検出部１４は、電源入力部１２から出力される交流電源の正（＋）の極性および負（−）の極性に応じてゼロ−クロッシング時点をそれぞれ検知する第１位相検出部（１４−１）および第２位相検出部（１４−２）を含む。すなわち、第１位相検出部（１４−１）は交流電源の正極性のゼロ−クロッシング時点を検出し、第２位相検出部（１４−２）は交流電源の負極性のゼロ−クロッシング時点を検出する。
【０００９】
このとき、第１および第２位相検出部（１４−１、１４−２）は印加される交流電源によって活性化され、所定の光を発生する第１および第２発光素子（Ｄ１１，Ｄ１２）を備え、この第１および第２発光素子（Ｄ１１，Ｄ１２）と対応する位置に配置されて発光素子（Ｄ１１、Ｄ１２）から発生された光により駆動される、つまり第１および第２発光素子（Ｄ１１，Ｄ１２）が活性化されることにより、これに連動して活性化される第１および第２受光素子（ＰＴ１１、ＰＴ１２）を備えたフォトカプラー（ｐｈｏｔｏｃｏｕｐｌｅｒ）が備えられる。
【００１０】
さらに、位相検出部１４には、所定電位の電源を出力する外部電源（ＶＣＣ１１）が接続され、第１および第２受光素子（ＰＴ１１，ＰＴ１２）が活性化されることによりターンオンまたはターンオフされるスイッチ素子（ＴＲ１１）を更に含む。
【００１１】
かかる従来技術に係る位相検知装置の動作について説明すると次の通りである。
【００１２】
図９は、従来技術に係る位相検知装置の動作を説明するための図面である。
【００１３】
図８および図９を参照すると、まず、入力される交流電源（ＡＣ）は電源入力部１２を介して分配され、交番に第１および第２位相検出部（１４−１、１４−２）に印加される。
【００１４】
例えば、正の極性を有する交流電源（ＡＣ）は第１位相検出部（１４−１）の第１発光素子（Ｄ１１）に入力され、向かい合って配置された第１受光素子（ＰＴ１１）を活性化させる。第１受光素子（ＰＴ１１）が活性化されることにより外部電源（ＶＣＣ１１）と接地電源（ＧＮＤ）とを接続する電流経路が形成され、第１受光素子（ＰＴ１１）と外部電源（ＶＣＣ１１）が接続された第１ノード（Ｎ１１）の電位は接地電位として形成される。
【００１５】
これにより、スイッチ素子（ＴＲ１１）はターンオフされ、スイッチ素子（ＴＲ１１）と外部電源（ＶＣＣ１１）が接続された第２ノード（Ｎ１２）は外部電源（ＶＣＣ１１）により高電位に形成される一方、第２ノード（Ｎ１２）の電位は正の極性を有する交流電源（ＡＣ）が印加される所定の時間（Ｐ２）の間に位相検出信号（Ｖｐｈａｓｅ）として出力される。
【００１６】
一方、負の極性を有する交流電源（ＡＣ）は第２位相検出部（１４−２）の第２発光素子（Ｄ１２）に入力され、これにより第２位相検出部（１４−２）は実質的に第１位相検出部（１４−１）と同一に駆動されて、第２ノード（Ｎ１２）の電位は負の極性を有する交流電源（ＡＣ）が印加される所定の時間（Ｐ１）の間に位相検出信号（Ｖｐｈａｓｅ）として出力される。
【００１７】
このとき、第１および第２位相検出部（１４−１、１４−２）の感度によっては，交流電源の０電位を含む所定の電位では第１および第２位相検出部（１４−１、１４−２）が非活性化されることにより、結果的に第２ノード（Ｎ１２）の出力信号（Ｖｐｈａｓｅ）は所定のパルス状に出力される。
【００１８】
【特許文献１】第韓民国特許公開第２００５−０２９５１６号
【特許文献２】特開平５−０３５０１２号公報
【特許文献３】特開平１１−０５２７８２号公報
【特許文献４】特開２００５−２３５１２５号公報
【発明の開示】
【発明が解決しようとする課題】
【００１９】
かかる位相検知装置１０において、ゼロ−クロッシング時点を検知しない場合、例えば、画像形成装置で印刷動作を行わないために定着器の発熱温度を目標温度に維持する必要がない待機モードである場合には、位相検知装置１０の駆動を遮断して位相検知装置１０の消費電力を減少させることが好ましい。しかし、図８に示すような位相検知装置１０においては、待機モードでも位相検知装置１０が連続的に駆動されるので、電源入力部１２に含まれた抵抗素子（Ｒ２１、Ｒ２２，Ｒ２３，Ｒ２４）により電力が消費されてしまう恐れがある。
【００２０】
さらに、交流電源の位相に対応するように位相検出部（１４−１、１４−２）をそれぞれに構成することによって，第１および第２受光素子（ＰＴ１１，ＰＴ１２）自体の感度の差異および製造誤差の差異によりゼロ−クロッシング時点を検知する能力においても，差異が生じるので、位相検出信号（Ｖｐｈａｓｅ）の出力時間（Ｐ１，Ｐ２）が相違してしまう。これは位相検出信号（Ｖｐｈａｓｅ）を用いて行う位相制御が各交流信号の極性に応じて相違してしまうという問題を引き起こす。
【００２１】
本発明は上記問題点に鑑みてなされたものであり、その目的は、待機モードで電力消費を節減でき、交流電源のゼロ−クロッシングを精密に検知可能な，新規かつ改良された，位相検知装置を提供することにある。また，本発明の他の目的は、当該位相検知装置を備えた位相制御装置，および当該位相制御装置を備えた画像形成装置の定着器制御装置を提供することにある。
【課題を解決するための手段】
【００２２】
上記課題を解決するために，本発明の第１の観点によれば，交流電源が印加される電源入力部と、交流電源のゼロ−クロッシング時点を検出し、交流電源のゼロ−クロッシング時点が検出される場合に位相検出信号を出力する位相検出部と、モード制御信号に応答して、電源入力部に対する交流電源の印加を選択的に遮断する電源スイッチ部と、を含む位相検知装置が提供される。
【００２３】
また，上記電源入力部は、整流された交流電源を出力する電波整流部を含むようにしてもよい。
【００２４】
また，上記位相検出部は、電波整流部から出力される整流された交流電源に基づいて交流電源のゼロ−クロッシング時点を検出するようにしてもよい。
【００２５】
また，上記モード制御信号は、電源入力部に対する交流電源の印加を遮断して電源入力部の電力消費を減少させ、位相検出部から位相検出信号が出力されない待機モードとして動作するように電源スイッチ部を制御する待機モード制御信号と、電源入力部に交流電源が印加され、交流電源のゼロ−クロッシング時点が検出される場合には，位相検出部から位相検出信号が出力される正常モードとして動作するように電源スイッチ部を制御する正常モード制御信号と、を含むようにしてもよい。
【００２６】
また，上記電源スイッチ部は、第１フォトカプラーを含むようにしてもよい。
【００２７】
また，上記電源スイッチ部は、モード制御信号が印加される第１端子と、第１フォトカプラーに接続され、かつ所定の直流電源が印加される第２端子と、接地電源が印加される第３端子と、を有する第１の３端子素子を含み、第１の３端子素子は、待機モード制御信号に応答して、第２端子の接地電源を第１フォトカプラーに供給し、正常モード制御信号に応答して、第２端子の所定の直流電源を第１フォトカプラーに供給するようにしてもよい。
【００２８】
また，上記第１フォトカプラーには，待機モードで供給が遮断される所定の直流電源が印加されるようにしてもよい。
【００２９】
また，上記電源入力部は、交流電源を分配し、分配された交流電源を出力する抵抗回路部と、分配された交流電源を整流し、整流された交流電源を出力するブリッジ整流器と、を含み、位相検出部は、ブリッジ整流器から出力される整流された交流電源から交流電源のゼロ−クロッシング時点を検出するようにしてもよい。
【００３０】
また，上記位相検出部は、電源入力部のブリッジ整流器および電源スイッチ部の第１フォトカプラーに接続された第２フォトカプラーを含むようにしてもよい。
【００３１】
また，上記位相検出部は、第２フォトカプラーに接続され、かつ所定の直流電源が印加される第１端子と、所定の直流電源が印加される第２端子と、接地電源が印加される第３端子と、を有する第２の３端子素子を含み、第２の３端子素子は、正常モード制御信号に応答して、交流電源のゼロ−クロッシング時点が検出され、電源スイッチ部が正常モードで動作する場合には、位相検出信号として第２端子から接地電源を出力し、正常モード制御信号に応答して、交流電源のゼロ−クロッシング時点が検出されず，電源スイッチ部が正常モードで動作する場合には，第２端子から所定の直流電源を出力し、待機モード制御信号に応答して、電源スイッチ部が待機モードで動作する場合には，第２端子から接地電源を出力するようにしてもよい。
【００３２】
上記課題を解決するために，本発明の第２の観点によれば，交流電源が印加される電源入力部と、交流電源のゼロ−クロッシング時点を検出し、交流電源のゼロ−クロッシング時点が検出される場合に位相検出信号を出力する位相検出部と、正常モードで動作するか、または待機モードで動作するかに応じて，電源入力部に対する交流電源の印加を選択的に遮断する電源スイッチ部と、を含む位相検知装置が提供される。
【００３３】
また，上記待機モードは、電源入力部に対する交流電源の印加を遮断して電源入力部の電力消費を減少させ、位相検出部から位相検出信号が出力されないモードであり、正常モードは、電源入力部に交流電源が印加され、交流電源のゼロ−クロッシング時点が検出される場合には，位相検出部から位相検出信号が出力されるモードであるようにしてもよい。
【００３４】
また，上記電源スイッチ部は，第１フォトカプラーを含むようにしてもよい。
【００３５】
また，上記電源スイッチ部は、正常モードで動作する場合には，所定の第１直流電源が印加され、かつ，第１フォトカプラーに所定の第１直流電源が印加され、電源スイッチ部は，待機モードで動作する場合には，所定の第１直流電源が印加されず、かつ，第１フォトカプラーにいずれの電源も印加されないようにしてもよい。
【００３６】
また，上記電源入力部は、交流電源を分配し、分配された交流電源を出力する抵抗回路部と、分配された交流電源を整流し、整流された交流電源を出力するブリッジ整流器と、を含み、位相検出部は，ブリッジ整流器から出力される整流された交流電源から交流電源のゼロ−クロッシング時点を検出するようにしてもよい。
【００３７】
また，上記位相検出部は、電源入力部のブリッジ整流器および電源スイッチ部の第１フォトカプラーに接続された第２フォトカプラーを含むようにしてもよい。
【００３８】
また，上記位相検出部は、第２フォトカプラーに接続され、かつ所定の第２直流電源が印加される第１端子と、所定の第２直流電源が印加される第２端子と、接地電源が印加される第３端子と、を有する３端子素子を更に含み、３端子素子は、交流電源のゼロ−クロッシング時点が検出され、電源スイッチ部が正常モードで動作する場合には，位相検出信号として第２端子から接地電源を出力し、交流電源のゼロ−クロッシング時点が検出されず，電源スイッチ部が正常モードで動作する場合には，第２端子から所定の第２直流電源を出力し、待機モード制御信号に応答して、電源スイッチ部が動作する場合には，第２端子から接地電源を出力するようにしてもよい。
【００３９】
また，上記所定の第２直流電源は，所定の第１直流電源と異なるようにしてもよい。
【００４０】
上記課題を解決するために，本発明の第３の観点によれば，装置に印加される交流電源の位相を制御する位相制御装置が提供される。本位相制御装置において、位相制御装置は、交流電源が印加され、交流電源のゼロ−クロッシング時点を検出し、交流電源のゼロ−クロッシング時点が検出される場合に位相検出信号を出力し、モード制御信号に応答して，交流電源の印加を選択的に遮断する位相検知装置と、位相検出信号に基づいて、装置に印加される交流電源の位相を制御するための位相制御信号を生成する信号生成部と、を含む。
【００４１】
また，上記位相検知装置は、交流電源が印加される電源入力部と、交流電源のゼロ−クロッシング時点を検出し、交流電源のゼロ−クロッシング時点が検出される場合に位相検出信号を出力する位相検出部と、モード制御信号に応答して、電源入力部に対する交流電源の印加を選択的に遮断する電源スイッチ部と、を含むようにしてもよい。
【００４２】
また，上記電源入力部は、整流された交流電源を出力する電波整流部を含むようにしてもよい。
【００４３】
また，上記位相検出部は、電波整流部から出力される整流された交流電源に基づいて交流電源のゼロ−クロッシング時点を検出するようにしてもよい。
【００４４】
また，上記モード制御信号は、電源入力部に対する交流電源の印加を遮断して電源入力部の電力消費を減少させ、位相検出部から位相検出信号が出力されない待機モードとして動作するように電源スイッチ部を制御する待機モード制御信号と、電源入力部に交流電源が印加され、交流電源のゼロ−クロッシング時点が検出される場合には，位相検出部から位相検出信号が出力される正常モードとして動作するように電源スイッチ部を制御する正常モード制御信号と、を含むようにしてもよい。
【００４５】
上記課題を解決するために，本発明の第４の観点によれば，画像形成装置の定着器に印加される交流電源を制御する定着器制御装置が提供される。本定着器制御装置において、定着器制御装置は、交流電源が印加され、交流電源のゼロ−クロッシング時点を検出し、交流電源のゼロ−クロッシング時点が検出される場合に位相検出信号を出力し、モード制御信号に応答して，交流電源の印加を選択的に遮断する位相検知装置と、位相検出信号に基づいて、定着器に印加される交流電源の位相を制御するための位相制御信号を生成する信号生成部と、位相制御信号に応じて，定着器に印加される交流電源の位相を制御して定着器の発熱温度を制御する温度制御部と、を含む。
【００４６】
また，上記モード制御信号は、位相検知装置に対する交流電源の印加を遮断して位相検知装置の電力消費を減少させ、位相検知装置から位相検出信号が出力されない待機モードとして動作するように位相検知装置を制御する待機モード制御信号と、位相検知装置に交流電源が印加され、交流電源のゼロ−クロッシング時点が検出される場合には，位相検知装置から位相検出信号が出力される正常モードで動作するように位相検知装置を制御する正常モード制御信号と、を含むようにしてもよい。
【発明の効果】
【００４７】
本発明によれば，待機モードで電力消費を節減でき、交流電源のゼロ−クロッシングを精密に検知可能な，位相検知装置，ならびに当該位相検知装置を備えた位相制御装置，および当該位相制御装置を備えた画像形成装置の定着器制御装置を提供することができる。
【発明を実施するための最良の形態】
【００４８】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００４９】
図１は本発明の一実施形態に係る定着器制御装置を説明するためのブロック図であり、図２は図１に示された温度制御部１６０を具体的に示す回路図である。
【００５０】
まず、図１を参照すると、本発明の一実施形態に係る定着器制御装置１００は、電源供給部１１０、電源変換部１２０、位相検知部１３０、信号生成部１４０、コントローラ１５０および温度制御部１６０を含む。。
【００５１】
詳細に、電源供給部１１０は、例えば，スイッチモード型電源供給装置から構成され、交流電源を電源変換部１２０および位相検知部１３０に出力する。
【００５２】
電源変換部１２０は電源供給部１１０から出力される交流電源のレベルを変換して出力する。
【００５３】
位相検知部１３０は、電源供給部１１０から出力される交流電源を用いて交流電源のゼロ−クロッシング時点を検出し、ゼロ−クロッシング時点間に位相検出信号を出力する。このとき、位相検知部１３０は、電源供給部１１０から交流電源を入力されてもよく、電源供給部１１０から出力された交流電源のレベルを変換する電源変換部１２０からレベル変換後の交流電源を入力されてもよい。
【００５４】
信号生成部１４０は、位相検知部１３０から出力される位相検出信号を用いて位相制御信号を出力する。すなわち，、信号生成部１４０は、位相検知部１３０から出力される位相検出信号の出力時間と、位相検出信号の出力の開始時点または終了時点を用いて交流電源の位相を制御する位相制御信号を出力する。
【００５５】
かかる位相検知部１３０および信号生成部１４０の動作については後述することにする。
【００５６】
コントローラ１５０は、定着器制御装置１００の各部の全般的な駆動を制御する制御信号を出力する。特に、コントローラ１５０は信号生成部１４０から出力される位相制御信号を入力され、定着器２００の現在の温度状態を確認してその温度状態に応じて温度制御部１６０に位相制御信号のタイミングを制御して出力する。かかるコントローラ１５０は信号生成部１４０と一体に構成されてもよく、図示されたように個別に構成されてもよい。
【００５７】
温度制御部１６０は電源変換部１２０から出力される交流電源の入力を受け、コントローラ１５０から印加される制御信号および温度状態に応じて，コントローラ１５０から出力タイミングの制御された位相制御信号に応答して入力された交流電源の位相を制御することによって、定着器２００の温度を制御する。
【００５８】
詳細に、図２に示すように、温度制御部１６０はコントローラ１５０から印加される位相制御信号（ＣＳ＿Ｐ）によって活性化される第１スイッチ部１６１、第１スイッチ部１６１の活性化と連動して活性化される第２スイッチ部１６２、第１スイッチ部１６１に印加される電流量を減少させる電流制限部１６３、および第２スイッチ部１６２が活性化されることによって生じるノイズを減少させるノイズ防止部１６４を含む。
【００５９】
第１スイッチ部１６１は、発光ダイオードなどの発光素子（Ｄ１）および発光素子（Ｄ１）とカップリングされて活性化されるフォトトライアック（ｐｈｏｔｏ−ｔｒｉａｃ、ＰＴＡ）などの受光素子（ＰＴＡ）から構成されている。発光素子（Ｄ１）はコントローラ１５０から印加される位相制御信号（ＣＳ＿Ｐ）により選択的にターンオンされるトランジスタ（ＴＲ１）の駆動に応じて所定の光を発生する。発生された光は受光素子（ＰＴＡ）に入射されて受光素子（ＰＴＡ）を活性化させ、受光素子（ＰＴＡ）が活性化されることにより電流の移動経路が形成される。このために、発光素子（Ｄ１）の一端がトランジスタ（ＴＲ１）の一端に接続され、受光素子（ＰＴＡ）は発光素子（Ｄ１）に対応する位置に設けられる。
【００６０】
第２スイッチ部１６２は制御入力を受けて活性化されるトライアック（ｔｒｉａｃ、ＴＡ）などのスイッチ素子を含む。第２スイッチ部１６２は第１スイッチ部１６１の受光素子（ＰＴＡ）の活性化と連動して活性化される。つまり、受光素子（ＰＴＡ）が導通されることにより電源変換部１２０から入力された交流電源による電流は第２スイッチ部１６２に入力される。
【００６１】
したがって、電源変換部１２０から印加される交流電源は，位相制御信号（ＣＳ＿Ｐ）により選択的に活性化されるトランジスタ（ＴＲ１）および各スイッチ部１６１，１６２のスイッチ動作を介して，その位相が制御されて定着器２００に印加される。
【００６２】
電流制限部１６３は、第２スイッチ部１６２が活性化される場合、定着器２００と第２スイッチ部１６２を介して供給された交流電源が第１スイッチ部１６１に流入する量を減少させるために設けられる。
【００６３】
ノイズ防止部１６４は、第２スイッチ部１６２が活性化される場合に発生するノイズを防止するために設けられる。例えば、第２スイッチ部１６２のトライアック（ＴＡ）の内部電圧が急激に０Ｖからターンオン電源に変化する際に生じるスパークのようなノイズを防止するために設けられる。
【００６４】
なお、定着器２００は加熱ローラおよび圧縮ローラ（図示せず）からなる。
【００６５】
加熱ローラは印刷用紙に噴射された現像剤によって形成された画像を熱で定着させるためのローラである。加熱ローラの内部には電源供給部１２０から入力される交流電源、つまり、電気エネルギーを熱エネルギーに変換する発熱体２１０が取り付けられている。
【００６６】
かかる発熱体２１０としては，例えば，直流型ヒートランプを使用できる。
【００６７】
圧縮ローラは加熱ローラと接触して回転するように設けられ、印刷用紙に噴射された現像剤により形成された画像を圧力で定着させる。
【００６８】
したがって、温度制御部１６０は発熱体２１０の発熱温度を制御することによって定着器２００の内部の加熱ローラの表面を一定の温度で発熱させて維持する。
【００６９】
かかる過程を介して定着器２００内の発熱体２１０に交流電源の位相が制御されて提供されることによって発熱体２１０が加熱され、発熱体２１０が加熱されることにより加熱ローラの表面は予め設定された目標温度に加熱され、その目標温度で維持される。発熱体２１０で発生した熱は，画像形成装置（図示せず）のＯＰＣ（Ｏｒｇａｎｉｃ  Ｐｈｏｔｏ−Ｃｏｎｄｕｃｔｉｖｅ）ドラム（図示せず）を経て，印刷されたトナーを印刷用紙に定着される。
【００７０】
図３は本発明の一実施形態に係る位相検知装置を説明するためのブロック図であり、図４は図３に示された位相検知装置の一実施形態を詳細に現した回路図であり、図５は図３に示された位相検知装置の他の実施形態を詳細に現した回路図である。
【００７１】
図３に基づくと、本発明の一実施形態に係る位相検知装置１３０は、電源入力部１３２、位相検出部１３４および電源スイッチ部１３６を含む。
【００７２】
詳細に、電源入力部１３２は図１に示す電源供給部１１０または電源変換部１２０を介して入力される交流電源（ＡＣ）を所定の電位レベルで分圧し、この分圧された交流電源（ＡＣ＿ＩＮ）を出力する。
【００７３】
図４および図５を参照すると、電源入力部１３２は、交流電源（ＡＣ）を分配する抵抗素子（Ｒ７，Ｒ８）が直列接続された抵抗回路部１３１−１および分配された交流電源（ＡＣ）を電波整流する電波整流部１３１−２を含むことができる。
【００７４】
抵抗回路部１３１−１は、電波整流部１３１−２の逆バイアスストレスの安定度を向上させるために交流電源（ＡＣ）に対して電波整流部１３１−２の前端に形成することが好ましい。
【００７５】
電波整流部１３１−２の一例は、ブリッジダイオードで構成され、分配された交流電源（ＡＣ）を電波整流して交流電源（ＡＣ＿ＩＮ）を出力する。
【００７６】
位相検出部１３４は電源入力部１３２から出力される交流電源（ＡＣ＿ＩＮ）の入力を受けて活性化され、位相検出信号（Ｖｐｈａｓｅ）を出力する。
【００７７】
図４および図５に示すように、位相検出部１３４は位相検出信号（Ｖｐｈａｓｅ）を出力するために第３スイッチ回路部１３４−１および第４スイッチ回路部１３４−２を含むことができる。
【００７８】
第３スイッチ回路部１３４−１の一例は、電波整流部１３２−２と接続された発光素子（Ｄ２）と発光素子（Ｄ２）と向かい合って配置され、発光素子（Ｄ２）から発生された光により活性化される受光素子（ＰＴ１）を備えたフォトカプラから構成され得る。
【００７９】
第４スイッチ回路部１３４−２の一例は、第１ノード（Ｎ１）に接続された第１端子、一定の電位を有する直流電源（ＶＣＣ１）と接続された第２端子，および接地電源（ＧＮＤ）に接続された第３端子を備えたトランジスタ（ＴＲ１）から構成されてもよい。かかる第４スイッチ回路部１３４−２は，第３スイッチ回路部１３４−１の活性化に連動して活性化され、直流電源（ＶＣＣ１）または接地電源（ＧＮＤ）を選択的に位相検出信号（Ｖｐｈａｓｅ）に出力することができる。
【００８０】
例えば、トランジスタ（ＴＲ１）が図示されたように、ｎｐｎ型トランジスタで構成された場合、第３スイッチ回路部１３４−１が非活性化されることにより第１ノード（Ｎ１）の電位は直流電源（ＶＣＣ１）の電位レベルで形成され、トランジスタ（ＴＲ１）は第１ノード（Ｎ１）の電位によりターンオンされて直流電源（ＶＣＣ１）と接地電源（ＧＮＤ）をショートさせる。これによって、第２ノード（Ｎ２）の電位は接地電源（ＧＮＤ）の電位レベルで形成され、位相検出信号（Ｖｐｈａｓｅ）は接地電源（ＧＮＤ）の電位で出力される。
【００８１】
さらに、第３スイッチ回路部１３４−１が活性化されることにより第１ノード（Ｎ１）の電位は接地電位（ＧＮＤ）で形成され、トランジスタ（ＴＲ１）は第１ノード（Ｎ１）の電位によりターンオフされ，第２ノード（Ｎ２）の電位は直流電源（ＶＣＣ１）の電位で形成され、位相検出信号（Ｖｐｈａｓｅ）は直流電源（ＶＣＣ１）の電位で出力される。
【００８２】
一方、ｐｎｐ型トランジスタで構成された場合、第３スイッチ回路部１３４−１が活性化されることによって接地電源（ＧＮＤ）の電位で位相検出信号（Ｖｐｈａｓｅ）が出力され、第３スイッチ回路部１３４−１が非活性化されることにより直流電源（ＶＣＣ１）の電位で位相検出信号（Ｖｐｈａｓｅ）が出力される。
【００８３】
このように構成することによって、図９に示す従来技術と比較するとき、本発明の実施形態に係る位相検知装置１３０はブリッジダイオードを用いて電波整流を行うことにより位相検出部１３４を一体的に構成することができる。
【００８４】
図３を参照すると、電源スイッチ部１３６は外部から印加されるモード制御信号（ＣＳ＿ＭＤ）に応答して、電源入力部１３２に交流電源（ＡＣ）が印加されることを選択的に遮断することができる。
【００８５】
なお、モード制御信号（ＣＳ＿ＭＤ）は図１に示すコントローラ１５０から印加することができる。このようなモード制御信号（ＣＳ＿ＭＤ）は，交流電源（ＡＣ）の印加を遮断して電源入力部１３２で消費される電力、特に抵抗回路部１３２−１で消費される消費電力を減少させるための待機モードとして電源スイッチ部１３６が駆動するように電源スイッチ部１３６を非活性化させ，電源入力部１３２を電気的にオープンにする待機モード制御信号を含む。
【００８６】
さらに、モード制御信号（ＣＳ＿ＭＤ）は，電源入力部１３２に交流電源（ＡＣ）を入力して交流電源（ＡＣ＿ＩＮ）に変換し、変換された交流電源（ＡＣ＿ＩＮ）を用いて位相検出信号（Ｖｐｈａｓｅ）の出力を行う正常モードで電源スイッチ部１３６が駆動するよう電源スイッチ部１３６を活性化させ、電源入力部１３２を電気的にショートさせる正常モード制御信号を含む。
【００８７】
図４にはコントローラ１５０から直接待機モード制御信号と正常モード制御信号とが入力される電源スイッチ部１３６が示されており、図５には待機モードと正常モードに応じて相異なる電位の電源が印加される電源スイッチ部１３６が示されている。
【００８８】
まず、図４に示すように、本発明の一実施形態に係る位相検知装置１３０の電源スイッチ部１３６は第５スイッチ回路部１３６−１および第６スイッチ回路部１３６−２を含むことができる。
【００８９】
第５スイッチ回路部１３６−１の一例は、コントローラ１５０と接続されて前述のモード制御信号（ＣＳ＿ＭＤ）が印加される第１端子、直流電源（ＶＣＣ１）に接続される第２端子、および接地電源（ＧＮＤ）に接続される第３端子を備えたトランジスタ（ＴＲ２）から構成される。
【００９０】
例えば、トランジスタ（ＴＲ２）がｎｐｎ型トランジスタからなり、コントローラ１５０で待機モード制御信号が高電位レベルで設定されて印加される場合、トランジスタ（ＴＲ２）がターンオンされる。トランジスタ（ＴＲ２）がターンオンされることにより直流電源（ＶＣＣ１）と接地電源（ＧＮＤ）はショートされて第３モード（Ｎ３）の電位は接地電源（ＧＮＤ）の電位で形成される。
【００９１】
さらに、正常モード制御信号が低電位レベルで設定されて印加される場合、トランジスタ（ＴＲ２）がターンオフされる。トランジスタ（ＴＲ２）がターンオフされることにより第３モード（Ｎ３）の電位は直流電源（ＶＣＣ１）の電位レベルで形成される。
【００９２】
第６スイッチ回路部１３６−２の一例は、第３ノード（Ｎ３）と接続されて第３ノード（Ｎ３）の電位に応じて活性化される発光素子（Ｄ３）と，この発光素子（Ｄ３）と向かい合って配置され発光素子から発生された光により活性化される受光素子（ＰＴ２）を備えたフォトカプラから構成されてもよい。このとき、受光素子（ＰＴ２）は位相検出部１３４に接続される。
【００９３】
第５スイッチ回路部１３６−１に正常モード制御信号が印加される場合に、第３ノード（Ｎ３）は直流電源（ＶＣＣ１）の電位レベルで形成され、これにより第６スイッチ回路部１３６−２が活性化され，電源入力部１３２は電気的にショートされる。これにより、位相検出部１４０にて交流信号（ＡＣ＿ＩＮ）のゼロ−クロッシング時点を検出し、検出されたゼロ−クロッシング時点間に第２ノード（Ｎ２）が形成された電源を位相検出信号（Ｖｐｈａｓｅ）として出力する。
【００９４】
第５スイッチ回路部１３６−１に待機モード制御信号が印加される場合に、第３ノード（Ｎ３）は接地電源（ＧＮＤ）の電位レベルで形成され、これにより第６スイッチ回路部１３６−２が非活性化されて電源入力部１３２は電気的にオープンにされ、電源入力部１３２での電力消費を抑えることができる。
【００９５】
なお、待機モード制御信号は高電位レベルで設定され、正常モード制御信号は低電位レベルで設定される場合について回路の構成を行ったが、回路構成により各制御信号が相反した電位レベルで形成されてもよく、各スイッチ回路部の構成もリレースイッチなどの様々な回路素子の構成の組み合わせにより形成されてもよい。
【００９６】
次に、図５に示すように、本発明の他の実施形態に係る位相検知装置１３０の電源スイッチ部１３６は直流電源（ＶＣＣ２）と接続された第７スイッチ回路部１３６−３を含む。
【００９７】
ここで、第７スイッチ回路部１３６−３は、実質的に図４に示された第５スイッチ回路部１３６−１と同一に形成されるため、重複する部分における詳説は省略する。
【００９８】
このとき、本発明の他の実施形態に係る位相検知装置１３０の電源スイッチ部１３６に印加される直流電源（ＶＣＣ２）はコントローラ１５０の制御に応じて電源供給部１１０または電源変換部１２０でその出力が制限された電源である。
【００９９】
電源供給部１１０または電源変換部１２０は、直流電源（ＶＣＣ１）と相違するレベルの直流電源（ＶＣＣ２）の供給を行うことが好ましい。
【０１００】
したがって、定着器２００が駆動しない待機モードである場合、直流電源（ＶＣＣ２）の供給はコントローラ１５０により選択的に遮断されてもよく、待機モードで選択的に遮断された直流電源（ＶＣＣ２）を第７スイッチ回路部１３６−３に接続される直流電源として使用することにより、図４に示す電源スイッチ部１３６と同様に駆動してもよい。
【０１０１】
前述した本発明の実施形態に係る定着器制御装置の駆動方法について詳細に説明すると次の通りである。
【０１０２】
図６は本発明の一実施形態に係る位相検知装置の駆動方法を説明するための図面である。
【０１０３】
図４および図６に示すように、本発明の一実施形態に係る位相検知装置１３０では、まず、正常モードとして駆動する場合にモード制御信号（ＣＳ＿ＭＤ）が電位レベルの低い正常モード制御信号として印加され、正常モード制御信号により電源スイッチ部１３６が活性化される。
【０１０４】
これにより交流電源（ＡＣ）が整流されて交流電源（ＡＣ＿ＩＮ）に変換され、位相検出部１３４は第３および第４スイッチ回路部１３４−１、１３４−２のスイッチ動作を介して変換された交流電源（ＡＣ＿ＩＮ）のゼロ−クロッシング時点を検出する。すなわち、交流電源（ＡＣ＿ＩＮ）の電位変動により第３スイッチ回路部１３４−１が繰り返しスイッチ動作を行うことでゼロ−クロッシング時点を検出し、第３スイッチ回路部１３４−１が活性／非活性化される間に第４スイッチ回路部１３４−２は非活性／活性化され、高／低電位で形成された第２ノード（Ｎ２）の電位を位相検出信号（Ｖｐｈａｓｅ）として出力する。
【０１０５】
このとき、ゼロ−クロッシング時点は、図６に示すように、第３スイッチ回路部１３４−１の構成素子の感度および製造誤差による認識可能な最低の電位レベル（ＮＰ０）がゼロ−クロッシング時点として認識される。しかし、１つの位相検出部１３４を使用することによって、各交流信号の半周期ごとに同一時間から検出することができる。
【０１０６】
なお、最低電位レベル（ＮＰ０）から最大電位レベル（ＭＰ０）に到る交流電源（ＡＣ＿ＩＮ）が印加される間に第３スイッチ回路部１３４−１が活性化され、第２ノード（Ｎ２）は直流電源（ＶＣＣ１）の電位として形成され、これは位相検出信号（Ｖｐｈａｓｅ）として出力される。ここで、最低電位レベル（ＮＰ０）以下の電位レベルでは発光素子（Ｄ２）がターンオフされ，第２ノード（Ｎ２）は接地電源（ＧＮＤ）の電位として形成され，位相検出信号（Ｖｐｈａｓｅ）として出力される。これにより位相検出信号（Ｖｐｈａｓｅ）は一定のパルス幅（Ｐ）を有するパルス信号として出力される。
【０１０７】
したがって、図９に示す比較例に係る位相検知装置の駆動方法と比較する際に、１つの位相検出部１３４を用いることによって、複数の位相検出部１４−１、１４−２それぞれの素子そのもの感度の差異および製造誤差の差異によるゼロ−クロッシングの検知能力の差異を防止することで同じ位相検出信号の出力時間が保証される。これにより位相制御の精密性が向上される。
【０１０８】
次に、位相検知装置１３０が待機モードとして駆動する場合に、モード制御信号（ＣＳ＿ＭＤ）が電位レベルの高い待機モード制御信号として印加され、待機モード制御信号により電源スイッチ部１３６のトランジスタ（ＴＲ２）がターンオフされることで電源スイッチ部１３６が非活性化される。これにより、交流電源（ＡＣ）の電源入力部１３２への供給は遮断され、変換された交流電源（ＡＣ＿ＩＮ）の出力も遮断され、直流電源（ＶＣＣ１）がトランジスタ（ＴＲ１）に印加されて，第２ノード（Ｎ２）の電位は接地電源（ＧＮＤ）の電位レベルで形成される。したがって、交流電源（ＡＣ）の電源入力部１３２への入力そのものが遮断されることで位相検出信号（Ｖｐｈａｓｅ）は接地電源（ＧＮＤ）の電位として出力される。
【０１０９】
ここでは、図４に示す位相検知装置を例にあげて説明したが、図５に示された位相検知装置も実際に同一方法に基づいて駆動される。
【０１１０】
図７は、本発明の一実施形態に係る定着器制御装置の駆動方法を説明するための図面である。
【０１１１】
図１、図４および図７を参照すると、本発明の一実施形態に係る定着器制御装置１００は、まず、正常モードとして駆動する場合には，図６で説明したように，電源スイッチ部１３６に電位レベルの低い正常モード制御信号が印加されると、入力される交流電源（ＡＣ）が電源入力部１３２にて整流された交流電源（ＡＣ＿ＩＮ）として出力され、位相検出部１３４は整流された交流電源（ＡＣ＿ＩＮ）を用いて同一パルス幅を有する位相検出信号（Ｖｐｈａｓｅ）を出力する。
【０１１２】
位相検出部１３４から出力された位相検出信号（Ｖｐｈａｓｅ）は、信号生成部１４０に入力され、コントローラ１５０は定着器２００の温度状態を判断して、信号生成部１４０で温度状態に応じた位相制御信号（ＣＳ＿Ｐ）が生成されるように制御し、この生成された位相制御信号（ＶＣＰ）を温度制御部１６０に提供する。
【０１１３】
温度制御部１６０は、図２に示すように、印加される位相制御信号（ＶＣＰ）に応じて第１スイッチ回路部１６１および第２スイッチ回路部１６２のスイッチ動作を行って定着器２００を発熱および発熱された温度が目標温度を保つように制御する。
【０１１４】
ここで、定着器２００の温度が目標温度より低い場合、位置検出信号（Ｖｐｈａｓｅ）を用いて位置検出信号の時点から相対的に小さな遅延時間（ｂ）後に位相制御信号（ＶＣＰ）が出力されるようコントローラ１５０を制御する。これにより定着器２００に印加される交流電源（ＡＣ）は相対的に大きな電源が印加されて定着器２００の温度を上昇させる。同様に、定着器２００の温度が目標温度より高い場合、位置検出信号（Ｖｐｈａｓｅ）を用いて位置検出信号の時点から相対的に大きな遅延時間（ｃ）後に位相制御信号（ＶＣＰ）が出力されるようにコントローラ１５０を制御する。これにより、定着器２００に印加される交流電源（ＡＣ）は割合に小さい電源が印加され定着器２００の温度を下降させる。
【０１１５】
このように、交流電源の一定電位にて時点および終点を有しながら一定のパルス幅を有する位相検出信号（Ｖｐｈａｓｅ）が出力されると、これを用いて形成される位相制御信号（ＶＣＰ）は一定の遅延時間をもって一定電位の交流電源が印加される時点で出力されるので、位相制御の精密性が保証される。
【０１１６】
次に、本発明の一実施形態に係る定着器制御装置１００が待機モードとして駆動する場合には、図６で説明したように、電源スイッチ部１３６に電位レベルの低い正常モード制御信号が印加されると、入力される交流電源（ＡＣ）は連続的に定着器制御装置１００に印加されるものの、電源入力部１３２で整流された交流電源（ＡＣ＿ＩＮ）としての出力が遮断され、位相検出信号（Ｖｐｈａｓｅ）および位相制御信号（ＶＣＰ）の出力も遮断される。
【０１１７】
これにより、温度制御部１６０も非活性化され、定着器２００に対する交流電源（ＡＣ）の印加が遮断されることにより定着器２００が発熱しない待機モードとして駆動されると共に、位相検知部１３０も待機モードとして駆動することで電源入力部１３２における電力の消費を抑制することができる。
【０１１８】
本実施形態によれば、交流電源のゼロ−クロッシング時点を検出する位相検知装置１３０を待機モードで選択的に駆動することで、交流電源が印加されるにつれ位相検知装置１３０内の回路素子による電力消費を抑制することができる。
【０１１９】
さらに、電波整流を用いてゼロ−クロッシング時点を検出することで、ゼロ−クロッシング時点を検出する位相検出部１３４を一体的に構成可能となり、製造コストの節減および装置の小型化を図ることができる。また、ゼロ−クロッシング時点の検出を精密に検知するが可能となり，装置の信頼性を向上させることができる。
【０１２０】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【０１２１】
【図１】本発明の一実施形態に係る定着器制御装置を示すブロック図である。
【図２】図１に示す温度制御部を詳細に示す回路図である。
【図３】本発明の一実施形態に係る位相検知装置を示すブロック図である。
【図４】図３に示す位相検知装置の一実施形態を詳細に現した回路図である。
【図５】図３に示す位相検知装置の他の実施形態を詳細に現した回路図である。
【図６】本発明の一実施形態に係る位相検知装置の駆動方法を示す説明図である。
【図７】本発明の一実施形態に係る定着器制御装置の駆動方法を示す説明図である。
【図８】従来技術に係る位相検知装置を示す回路図である。
【図９】従来技術に係る位相検知装置の動作を示す説明図である。
【符号の説明】
【０１２２】
１００    定着器制御装置
１１０    電源供給部
１２０    電源変換部
１３０    位相検知装置
１３２    電源入力部
１３４    位相検出部
１３６    電源スイッチ部
１４０    信号生成部
１５０    コントローラ
１６０    温度制御部
２００    定着器
【図１】
2008033904.tif 000003
【図２】
2008033904.tif 000004
【図３】
2008033904.tif 000005
【図４】
2008033904.tif 000006
【図５】
2008033904.tif 000007
【図６】
2008033904.tif 000008
【図７】
2008033904.tif 000009
【図８】
2008033904.tif 000010
【図９】
2008033904.tif 000011